(57)【要約】【課題】調光操作器を備えた調光システムにおいて、シーン再生時の出力レベルを効率的に修正可能とし、修正に伴う照明負荷等に対するストレスを小さくする。【解決手段】調光システム１に備えられた調光操作器３は、照明負荷２を制御する調光制御信号の出力レベルを設定するフェーダ部６と、所定の出力レベルがシーンデータとして記憶され、このシーンデータに応じた出力レベルを再生するシーン再生部７と、シーン再生時の出力レベルをフェーダ部６の操作に基づいて修正するシーン修正モードとするシーン修正部８と、シーン再生部７を制御して、所定の出力レベルに応じた調光制御信号を出力する制御部９と、を備える。制御部９は、シーン修正モード時に、シーン再生時の出力レベルとフェーダ部６の出力レベルとが一致するかを判定し、不一致であるとき、シーン再生時の出力レベルからフェーダ部６の出力レベルへ緩やかに変位する調光制御信号を出力する。【選択図】図２
2008135224.tif 000002
【特許請求の範囲】
【請求項１】
複数の照明負荷と、これらの照明負荷を調光操作するための調光制御信号を出力する調光操作器と、を備えた調光システムであって、
前記調光操作器は、
前記照明負荷の明るさを制御する調光制御信号の出力レベルを設定する複数のフェーダ部と、
前記フェーダ部により設定された出力レベルがシーンデータとして記憶されており、この記憶されているシーンデータに応じた出力レベルを再生するシーン再生部と、
前記シーン再生部が再生した出力レベルを前記フェーダ部の操作に基づいて修正するシーン修正モードとするシーン修正部と、
前記シーン再生部を制御して、前記フェーダ部により設定された出力レベル又は前記シーン再生部が再生する出力レベルに応じた調光制御信号を出力する制御部と、を備え、
前記制御部は、前記シーン修正モード時に、前記シーン再生部が再生する出力レベルと前記フェーダ部により設定される出力レベルとが一致するか否かを判定し、前記の出力レベルが不一致であるとき、前記シーン再生部が再生する出力レベルから前記フェーダ部によって設定される出力レベルへ緩やかに変位する調光制御信号を出力することを特徴とする調光システム。
【請求項２】
前記制御部は、前記シーン修正モード時に、前記フェーダ部がユーザにより操作され、前記制御部から出力される調光制御信号が、前記シーン再生部が再生する出力レベルから前記フェーダ部によって設定される出力レベルへ変位している間に、前記フェーダ部が再操作されて前記フェーダ部により設定される出力レベルが変位したとき、再操作前のフェーダ部により設定される出力レベルから再操作後のフェーダ部により設定される出力レベルへ緩やかに変位する調光制御信号を出力することを特徴とする請求項１に記載の調光システム。
【請求項３】
前記制御部は、前記シーン修正モードにおいて、前記フェーダ部により設定される出力レベルと前記シーン再生部が再生する出力レベルとが一致すると前記シーン修正モードを終了し、前記フェーダ部により設定される出力レベルに基づく調光制御信号を出力することを特徴とする請求項１又は請求項２に記載の調光システムに用いられる調光操作器。
【発明の詳細な説明】
【技術分野】
【０００１】
本発明は、劇場やホール等の舞台照明に用いられる複数の照明負荷の点灯状態をシーン毎に設定して再生することができる調光システム及びそれに用いられる調光操作器に関する。
【背景技術】
【０００２】
従来から、劇場やホール等の舞台照明では、舞台のシーンに応じて複数の照明負荷の明るさや色を変化させる照明演出が行われている。このような照明演出は、複数の照明負荷を調光する調光システムにおける調光操作器によって制御されている。
【０００３】
上記のような調光操作器は、一般に複数の照明負荷の夫々に接続された調光器に対して対応付けされたチャンネル毎に、所定の調光制御信号の出力レベルを設定する複数のフェーダ部を備えており、ユーザによるフェーダ部の操作によって設定された出力レベルを、シーン毎に識別番号を付して記憶して、照明演出時には、識別番号により指定されたシーンを読み出して、読み出されたシ一ンに応じた出力レベルを再生する（以下、シーン再生という）。
【０００４】
シーン再生が行われるとき、調光操作器は、フェーダ部に設定された出力レベルに関係なく、記憶したシ一ンの出力レベルに応じた調光制御信号を出力するため、フェーダ部により設定された出力レベルと実際に調光操作器から出力される調光制御信号の出力レベルとが不一致となることがある。
【０００５】
そして、シーン再生中に、ユーザが調光制御信号の出力レベルを修正しようとするとき、上記のような出力レベルの不一致があると、ユーザはフェーダ部を操作して所望の出力レベルに修正することができない不具合が生じる。このような不具合を解消するため、特許文献１に示される調光操作器は、出力レベルの修正時には、一時的にシーン再生中の出力レベルを遮断して、別途に設けられたフェーダ部を用いて出力レベルを設定する機能を有している。また、特許文献２に示される調光操作器は、フェーダ部の他に照明負荷の明るさを修正することができる調光スイッチを備え、この調光スイッチの操作により、シーン再生中の照明負荷の明るさをフェーダ部が示す出力レベルに追従させる機能を有する。
【特許文献１】特開２００４−１２７７２２号公報
【特許文献２】特開２０００−３１１７９１号公報
【発明の開示】
【発明が解決しようとする課題】
【０００６】
しかしながら、特許文献１に示される調光操作器は、シーン再生中の出力レベルを切り離して、出力レベルを修正するために別途のフェーダ部が設けられるので、調光操作器を構成する部品や制御回路を必要とし、機器が大型化し、高コストとなる。また、特許文献２に示される調光操作器は、シーン再生時における出力レベルをフェーダ部が示す出力レベルに一致させる手順を踏まえることが必要であり、ユーザが即座にシーン再生時の出力レベルを修正できないので、効率的ではない。また、シーン修正前の出力レベルとシーン修正後の出力レベルの差が大きいとき、これらの修正における出力レベルの変位が短時間に行われると、照明負荷等に対するストレスが大きくなるので、シーン修正における出力レベルの変位は緩やかに行われることが望ましい。
【０００７】
本発明は、上記課題を解決するものであり、シーン再生時において、実際に調光操作器から出力される調光制御信号の出力レベルとフェーダ部の設定による出力レベルとが不一致となったときに、ユーザが効率的に出力レベルを修正することができ、また、この出力レベルの修正において、出力レベルの変位が緩やかに行われる調光システム及びそれに用いられる調光システムを提供することを目的とする。
【課題を解決するための手段】
【０００８】
上記課題を解決するため、請求項１の発明は複数の照明負荷と、これらの照明負荷を調光操作するための調光制御信号を出力する調光操作器と、を備えた調光システムであって、前記調光操作器は、前記照明負荷の明るさを制御する調光制御信号の出力レベルを設定する複数のフェーダ部と、前記フェーダ部により設定された出力レベルがシーンデータとして記憶されており、この記憶されているシーンデータに応じた出力レベルを再生するシーン再生部と、前記シーン再生部が再生した出力レベルを前記フェーダ部の操作に基づいて修正するシーン修正モードとするシーン修正部と、前記シーン再生部を制御して、前記フェーダ部により設定された出力レベル又は前記シーン再生部が再生する出力レベルに応じた調光制御信号を出力する制御部と、を備え、前記制御部は、前記シーン修正モード時に、前記シーン再生部が再生する出力レベルと前記フェーダ部により設定される出力レベルとが一致するか否かを判定し、前記の出力レベルが不一致であるとき、前記シーン再生部が再生する出力レベルから前記フェーダ部によって設定される出力レベルへ緩やかに変位する調光制御信号を出力するものである。
【０００９】
請求項２の発明は、請求項１に記載の調光システムにおいて、前記制御部は、前記シーン修正モード時に、前記フェーダ部がユーザにより操作され、前記制御部から出力される調光制御信号が、前記シーン再生部が再生する出力レベルから前記フェーダ部によって設定される出力レベルへ変位している間に、前記フェーダ部が再操作されて前記フェーダ部により設定される出力レベルが変位したとき、再操作前のフェーダ部により設定される出力レベルから再操作後のフェーダ部により設定される出力レベルへ緩やかに変位する調光制御信号を出力するものである。
【００１０】
請求項３の発明は、請求項１又は請求項２に記載の調光システムに用いられる調光操作器において、前記制御部は、前記シーン修正モードにおいて、前記フェーダ部により設定される出力レベルと前記シーン再生部が再生する出力レベルとが一致すると前記シーン修正モードを終了し、前記フェーダ部により設定される出力レベルに基づく調光制御信号を出力するものである。
【発明の効果】
【００１１】
請求項１の発明によれば、実際に制御部が出力する調光制御信号の出力レベルとフェーダ部により設定された出力レベルとが一致する。そのため、ユーザはフェーダ部を操作して、照明負荷の点灯状態を確認しながら、制御部から出力される調光制御信号の出力レベルを調整して、シーン修正を効率的に行うことができる。また、シーン修正のために、別途のフェーダ部等を設ける必要もないので、調光操作器を小型で安価とすることができる。また、シーン再生時の出力レベルとシーン修正モードにおいてユーザによって設定されたフェーダ部の出力レベルとが不一致であり、その差が大きいときでも、シーン修正モード時に、実際に制御部から出力される調光制御信号の出力レベルが、シーン修正開始時の出力レベルからフェーダ部の出力レベルへ緩やかに変位して、急激な出力レベルの変化がなくなるので、制御部や照明負荷等に対するストレスを小さくすることができる。
【００１２】
請求項２の発明によれば、制御部から出力される調光制御信号の出力レベルは、フェーダ部の出力レベルに追従することになるので、ユーザはシーン修正の度に修正スイッチを押してシーン修正モードとする必要がなく、フェーダ部を操作するだけで、適宜に制御部から出力される調光制御信号の出力レベルを調整して、シーン修正を行うことができる。
【００１３】
請求項３の発明によれば、シーン修正モード終了後はシーンの再生が行われないので、フェーダ部が操作されても、制御部から出力される調光制御信号の出力レベルとフェーダ部により設定される出力レベルとが一致したままとなり、ユーザはフェーダ部を操作して自在に照明負荷の調光を制御することができる。
【発明を実施するための最良の形態】
【００１４】
以下、本発明の一実施形態に係る調光システムについて、図１及び図２（ａ）（ｂ）を参照して説明する。本実施形態の調光システム１は、複数の照明負荷２及びこれらの照明負荷２を調光操作するための調光操作器３を備える。照明負荷２は、夫々複数の調光器４と接続されており、調光操作器３は、これらの調光器４に対して照明負荷２を調光制御するための調光制御信号を出力する。なお、調光器４はスイッチング回路を有し、受信した調光制御信号に応じて高周波電力を発生させるものであり、調光システム１において、複数の照明負荷２の夫々に対応した複数の調光器４が調光盤５に収納されている。
【００１５】
調光操作器３は、調光器４へ出力される調光制御信号の出力レベルを設定する複数のフェーダ部６、フェーダ部６により設定された出力レベルをシーンデータとして記憶して、このシーンデータに応じた出力レベルを再生するシーン再生部７、シーン再生部７が再生する出力レベルを修正するシーン修正部８、及びシーン再生部７やシーン修正部８を制御すると共に、所定の調光制御信号を調光器４に対して出力する制御部９を備えている。
【００１６】
フェーダ部６は、調光器４の夫々に対して対応付けされたチャンネル毎に各照明負荷２の明るさを制御する調光制御信号出力レベルを設定するものであり、例えば、スライド式の可変抵抗器（フェーダ）が用いられる。なお、フェーダ部６は、上記のスライド式に限られず、調光操作器３の前面にエンコーダに連動したホイールの周面の一部を露出させ、そのホイールの回転によってレベルを設定するものや、ピアノスイッチをアップ／ダウンスイッチに用いてレベルを設定するもの等、チャンネル毎に出力レベルを設定できるものであれば、特に限定されるものではない。
【００１７】
シーン再生部７は、フェーダ部６によって設定された出力レベルをシーンデータとして記憶するシーン記憶部７１、フェーダ部６によって設定された出力レベルに応じて照明負荷２の調光制御を行う調光制御モードから、シーンデータを記憶するシーン記憶モードへ切り替える記憶スイッチ７２及びシーンデータの出力レベルを再生するシーン再生モードへ切り替えるシーンスイッチ７３を備えている。シーンスイッチ７３は、複数のシーンスイッチ（例えば、図２（ａ）に示されるシーン１スイッチ７３ａ、シーン２スイッチ７３ｂ、シーン３スイッチ７３ｃ）から成る。また、シーン記憶部７１には、ＲＡＭのような汎用の書き換え可能なメモリが用いられる。なお、上記の各モードにおける調光操作器３の動作については後述する。
【００１８】
シーン修正部８は、シーン再生部７が再生した出力レベルをフェーダ部６の操作に基づいて修正するシーン修正モードを設定する修正スイッチ８１を備える。また、シーン修正部８は、修正スイッチ８１が押された後の所定時間をカウントするタイマ（図示せず）を備え、このタイマがカウントを終えるまでにユーザによるフェーダ部６の操作がなかったときは、シーン修正モードを終了する。そのため、例えば、誤って修正スイッチ８１が押されたときでも、フェーダ部６が操作されない限り、実際にシーン修正は行われない。
【００１９】
制御部９は、調光制御モードにおいては、フェーダ部６の出力レベルを検知して、検知した出力レベルに応じた調光制御信号を調光器４へ出力する。また、制御部９は、シーン記憶モードにおいては、記憶スイッチ７２、フェーダ部６及びシーンスイッチ７３の操作により、フェーダ部６が示す出力レベルをシーンデータとしてシーン記憶部７１に記憶させる。更に、シーン再生モードにおいては、シーン記憶部７１からシーンデータを読み出して、シーン再生部７の出力レベルに応じた調光制御信号を出力する。この制御部９は、汎用のマイクロコンピュータと調光信号発生器から成る（図示せず）。上記の調光信号発生器は、例えば、ＰＷＭ信号といった調光制御対象となる照明器具及び調光器の種類に応じた調光制御信号を出力する。また、制御部９は、フェーダ部６に設定された出力レベルを一時的に記憶するメモリ９１及び所定のクロック数をカウントするタイマ９２を備える。
【００２０】
以下に、調光操作器３のシーン記憶モード、調光制御モード、シーン再生モード及びシーン修正モードの動作について、上述した図２（ａ）（ｂ）に加えて、図３（ａ）（ｂ）及び図４（ａ）（ｂ）を参照して説明する。また、以下で説明する図面において、ユーザによって押されるスイッチ又は操作されるフェーダを点描パターンで塗りつぶして表示している。なお、調光操作器３において、記憶スイッチ７２、シーンスイッチ７３又は修正スイッチ８１のいずれもが押されていないとき、調光操作器３は調光制御モードとなる。また、調光制御モードにおいて、制御部９は、フェーダ部６の各チャンネルに設定された出力レベルに応じた調光制御信号を調光器４に対して出力し、ユーザがフェーダ部６を操作すると、その操作に応じて出力される調光制御信号は変位する。
【００２１】
まず、図２（ａ）に示されるように、ユーザが記憶スイッチ７２を押して、調光制御モードからシーン記憶モードに切り替えた後、複数のシーンスイッチ７３のうちの何れかを選択して（図示の例ではシーン１スイッチ７３ａ）、そのスイッチを押す。続いて、ユーザは、フェーダ部６を操作して、各チャンネルに対応する調光器４（照明負荷２）へ出力される調光制御信号の出力レベルを設定する。そして、ユーザが、再びシーンスイッチ７３（シーン１スイッチ７３ａ）を押すと、制御部９は、図２（ｂ）に示されるように、フェーダ部６のチャンネル毎に設定された各々の出力レベルを読み込み（一時的にメモリ９１に記憶させてもよい）、選択されたシーンスイッチに対応するシーンデータとしてシーン記憶部７１に記憶させる。シーン記憶モード時、制御部９はフェーダ部６の出力レベルに応じた調光制御信号を調光器４へ出力する（図中の太線矢印）。また、シーンデータの記憶が完了すると、シーン記憶モードは自動的に終了して、調光制御モードへ戻る。なお、図２（ａ）では、シーン１スイッチ７３ａに対して、チャンネル１（ＣＨ１）のフェーダに対応する照明負荷２が５０％調光となる出力レベル（図中の白抜き矢印）を設定した例を示している。
【００２２】
続いて、図３（ａ）に示されるように、ユーザがシーンスイッチ７３（図示の例ではシーン１スイッチ７２ａ）を押すと、調光制御モードからシーン再生モードに切り替わり、シーン再生部７は、シーン記憶部７１に記憶されたシーンデータに応じた出力レベルを再生し、制御部９は、図３（ｂ）に示されるように、フェーダ部６により設定された出力レベルではなく、シーン再生部７が再生した出力レベルに応じた調光制御信号を調光器４へ出力する。例えば、図２で示したようなシーンの記憶がなされているときは、シーン１スイッチ７３ａが押されると、上記のシーン記憶モードの終了後に、フェーダ部６が操作されて、例えば、図３（ａ）に示されるように、チャンネル１（ＣＨ１）のフェーダが９０％調光に設定されていても、制御部９は、５０％調光となる出力レベル（図中の白抜き矢印）の調光制御信号を出力する。
【００２３】
また、本実施形態の調光操作器３では、図４（ａ）に示されるように、修正スイッチ８１が押されると、シーン修正モードとなり、制御部９は、シーン再生部７が再生する出力レベルとフェーダ部６により設定される出力レベルとが一致しているか否かを判定する。そして、ユーザがフェーダ部６を操作したことにより、これらの出力レベルが不一致であると判定されたとき、制御部９は、シーン再生部７が再生する出力レベルからフェーダ部６によって設定される出力レベルへ緩やかに変位する調光制御信号を出力する。すなわち、シーン修正開始直後、制御部９は、シーン記憶部７１に記憶された出力レベルの調光制御信号を出力するが、徐々にフェーダ部６により設定された出力レベルの調光制御信号を出力する（図４（ｂ）参照）。図４（ａ）の例では、シーン修正モードが設定された直後、制御部９は、シーン再生モード時の５０％調光の出力レベル（図中の白抜き矢印）から徐々にフェーダ部６により設定された３０％調光の出力レベルの調光制御信号を出力する。
【００２４】
次に、上記のシーン修正モードにおいて、制御部９が実行する出力レベルの制御処理について、図５乃至図７を参照して説明する。図中、フェーダレベルとは、フェーダ部６によって設定された出力レベルをいい、フェーダ部６が操作されるとフェーダレベルは変位する。また、制御部９は０．１秒ごとにフェーダレベルを検知し、検知したフェーダレベルをメモリ９１に一時的に記憶させる。シーンレベルとは、シーン記憶部７１に記憶された出力レベルをいい、新たなシーンレベルが記憶されるまで変位しない。また、ライブレベルとは、実際に調光操作器３から出力されている調光制御信号の出力レベルをいい、シーン修正開始直後はシーンレベルと一致しているが、制御部９により適宜に変位される。
【００２５】
シーン再生モード時に、修正スイッチ８１が押されると、シーン修正モードとなり、制御部９は、図５に示されるように、まず、シーンレベルとフェーダレベルとが一致しているか否かを判定する（Ｓ１）。これらの出力レベルが、一致しているとき（Ｓ２）、制御部９はフェーダレベルをシーンレベルとして、シーン記憶部７１に記憶させる（Ｓ３）と共に、シーン修正モードを終了する。
【００２６】
また、シーンレベルとフェーダレベルとが不一致であるとき、制御部９は、これらの差が最大出力レベルを１００％としたときの１０％未満であるか否かを判定する（Ｓ４）。そして、その差が１０％未満であるとき、制御部９はフェーダレベルがシーンレベル以上であるか否かを判定する（Ｓ５）。フェーダレベルがシーンレベル以上であるとき、制御部９はフェーダレベルがシーンレベル以下であるかを判定する（Ｓ６）。ここで、フェーダレベルが上記Ｓ５及びＳ６の両方を満たしているとき、フェーダレベルとシーンレベルとは一致していることになる（Ｓ２）。一方、上記Ｓ５を満たすが、Ｓ６を満たさないとき、フェーダレベルはシーンレベルより大きく、その差は１０％未満である。このように、フェーダレベルとシーンレベルとの差が１０％未満であるとき、制御部９はライブレベルをフェーダレベルに一致させる（Ｓ７）。上記の差が１０％未満と、比較的小さいときには、ライブレベルをシーンレベルからフェーダレベルへ一気に一致させても照明負荷等にかかるストレスは小さい。
【００２７】
一方、上記Ｓ５において、フェーダレベルがシーンレベル未満と判定されたとき、制御部９はフェーダレベルがシーンレベル以上であるか否かを判定する（Ｓ８）。ここで、フェーダレベルが上記Ｓ５及びＳ６の両方を満たさないとき、フェーダレベルとシーンレベルとは一致していることになる（Ｓ２）。一方、上記Ｓ５は満たさないが、Ｓ６を満たすとき、フェーダレベルはシーンレベルより小さく、その差は１０％未満である。このときも、上記と同様に、制御部９はライブレベルをフェーダレベルに一致させる（Ｓ７）。上記のようにして、ライブレベルとフェーダレベルとが一致すると、制御部９はフェーダレベル（シーン修正モードにおいて変位した後のライブレベル）をシーンレベルとして、シーン記憶部７１に記憶させ（Ｓ３）、シーン修正モードを終了する（Ｓ４）。
【００２８】
次に、シーンレベルとフェーダレベルとが不一致であり、これらの差が最大出力レベルを１００％としたときの１０％以上あるときは、図６に示されるように、まず、制御部９はフェーダレベルがシーンレベル以上であるか否かを判定する（Ｓ１１）。フェーダレベルがシーンレベル以上であるとき、制御部９はフェーダレベルがシーンレベル以下であるかを判定する（Ｓ１２）。ここで、フェーダレベルが上記Ｓ１１及びＳ１２の両方を満たすとき、フェーダレベルとシーンレベルとは一致していることになる（Ｓ１３）。このとき、制御部９はフェーダレベルをシーンレベルとして、シーン記憶部７１（図示せず）に記憶させ（Ｓ１４）、シーン修正モードを終了する。
【００２９】
一方、フェーダレベルが上記Ｓ１１を満たすが、Ｓ１２を満たさないとき、フェーダレベルはシーンレベルより大きく、その差は１０％以上である。このとき、制御部９はライブレベルを１％／０．１秒の速さで上げる（Ｓ１５）。そして、制御部９は、ライブレベルをフェーダレベルに一致しているか否かを判定し（Ｓ１６）、一致していないときはＳ１５の作動を繰り返して、ライブレベルをフェーダレベルに緩やかに一致させる。
【００３０】
一方、上記Ｓ１１において、フェーダレベルがシーンレベル未満と判定されたとき、制御部９は、フェーダレベルがシーンレベル以上であるかを判定する（Ｓ１７）。ここで、フェーダレベルが上記Ｓ１１及びＳ１７の両方を満たさないとき、フェーダレベルとシーンレベルとは一致していることになる（Ｓ１３）。一方、上記Ｓ１１を満たさないが、Ｓ１７を満たすとき、フェーダレベルはシーンレベルより小さく、その差は１０％以上である。このときも、上記と同様に、制御部９はライブレベルを１％／０．１秒の速さで下げ（Ｓ１８）、ライブレベルをフェーダレベルに緩やかに一致させる。
【００３１】
図７に示されるフローチャートは、上記の制御部９が実行する出力レベルの変位における変形例であり、ライブレベルを変位させたときに、変位後のライブレベルをシーンレベルとしてシーン記憶部７１に記憶させ、フェーダレベルとシーンレベルとの対比を繰り返すことにより、図６のＳ１６及びＳ１９で示されたフェーダレベルとライブレベルが一致しているか否かを判定することなく、ライブレベルとフェーダレベルとを一致させる制御処理を示したものであるが、その説明については省略する。
【００３２】
上記のように、本実施形態の調光操作器３では、実際に制御部９が出力する調光制御信号の出力レベル（ライブレベル）とフェーダ部６により設定された出力レベル（フェーダレベル）とが一致することになる。そのため、ユーザはフェーダ部６を操作して、フェーダ部６のチャンネル毎に対応付けられた照明負荷２の点灯状態を確認しながら、制御部９から出力される調光制御信号の出力レベルを調整して、シーン修正を効率的に行うことができる。また、シーン修正のために、別途のフェーダ部等を設ける必要も無いので、調光操作器３を小型で安価とすることができる。
【００３３】
また、シーン再生時の出力レベル（シーンレベル）と、シーン修正モードにおいてユーザによって設定されたフェーダ部６の出力レベル（フェーダレベル）とが不一致であり、その差が大きいときでも、シーン修正モード時に、実際に制御部９から出力される調光制御信号の出力レベル（ライブレベル）が、シーン修正開始時の出力レベル（シーンレベル）から、フェーダ部６の出力レベル（フェーダレベル）へ緩やかに変位して、急激な出力レベルの変化がなくなるので、制御部９、調光器４及び照明負荷２に対するストレスを小さくすることができる。
【００３４】
また、制御部９は、タイマ９２が所定時間をカウントする間は、フェーダ部６の出力レベル（フェーダレベル）を０．１秒ごとに検知し、フェーダレベルとシーンレベル及びライブレベルとを対比すると共に、ライブレベルをフェーダレベルに一致させる。従って、シーン修正開始時に、フェーダ部６がユーザにより操作され、制御部９から出力される調光制御信号（ライブレベル）が、シーン再生部７が再生する出力レベル（シーンレベル）からフェーダ部によって設定される出力レベル（ライブレベル）へ変位している間に、フェーダ部６が再操作されてフェーダ部６により設定される出力レベルが変位したとき、制御部９は、再操作前のフェーダ部６により設定される出力レベルから再操作後のフェーダ部６により設定される出力レベルへ緩やかに変位する調光制御信号を出力する。
【００３５】
つまり、制御部９から出力される調光制御信号の出力レベル（ライブレベル）は、所定時間は、常にフェーダ部６の出力レベル（フェーダレベル）に追従することになるので、ユーザはシーン修正の度に修正スイッチ８１を押してシーン修正モードを起動することなく、所定時間はフェーダ部６を操作するだけで、適宜に制御部９から出力される調光制御信号の出力レベルを調整して、シーン修正を行うことができる。
【００３６】
また、制御部９は、シーン修正モードにおいて、フェーダ部６により設定される出力レベルとシーン再生部７が再生する出力レベルとが一致すると、シーン修正モードを終了し、フェーダ部６により設定される出力レベルに基づく調光制御信号を出力するようにしてもよい。すなわち、シーン修正モード終了後に、シーン再生モードに戻ると、フェーダ部６が操作されることにより、再び制御部９から出力される調光制御信号の出力レベル（ライブレベル）とフェーダ部６により設定される出力レベル（ライブレベル）とが不一致となることがある。しかし、シーン修正モード終了後は調光操作モードに切り替わるようにすると、シーン再生モードが設定されない限り、上記のような不一致が生じることがなく、ユーザはフェーダ部６を操作して自在に照明負荷２の調光を制御することができる。
【００３７】
なお、調光操作器３には、図８に示されるように、制御部９から出力される調光制御信号（図中、黒塗り矢印）がフェーダ部６により設定される出力レベルと一致したときに、ユーザに出力レベルの一致をＬＥＤ等の点灯により報知する表示灯６１が設けられてもよい。このような表示灯６１は、ユーザが極めて微細な出力レベルの修正を要求するときに有用である。
【００３８】
また、本実施形態の調光システム１の主たる用途は、舞台調光システムとしての使用であり、例えば、調光操作器３は、舞台に対面する観客席の略中央部等に設置され、調光器４や調光盤５は舞台裏側や施設の内壁等に設置されることが想定されるが、必ずしも上記のような構成には限られない。例えば、調光器４及び調光盤５は、調光操作器３に内蔵されていてもよいし、調光器４及び調光盤５が無く、調光操作器３が直接的に照明負荷２を調光制御するようにしてもよい。
【図面の簡単な説明】
【００３９】
【図１】本発明の一実施形態に係る調光操作器を用いた調光システムの概略図。
【図２】（ａ）はシーン記憶モードにおける上記調光操作器の構成を例示する図、（ｂ）はシーン記憶モードにおける上記調光システムのブロック構成図。
【図３】（ａ）はシーン再生モードにおける上記調光操作器の構成を例示する図、（ｂ）はシーン再生モードにおける上記調光システムのブロック構成図。
【図４】（ａ）シーン修正モードにおける上記調光操作器の構成を例示する図、（ｂ）はシーン修正モードにおける上記調光システムのブロック構成図。
【図５】上記調光システムにおいて、制御部が行う出力レベルの修正処理において、フェーダレベルとシーンレベルとの差が１０％未満であるときのフローチャート。
【図６】上記修正処理において、フェーダレベルとシーンレベルとの差が１０％以上であるときのフローチャート。
【図７】上記修正処理の変形例を示すフローチャート。
【図８】上記調光操作器の変形例の構成図。
【符号の説明】
【００４０】
１    調光システム
２    照明負荷
３    調光操作器
６    フェーダ部
７    シーン再生部
８    シーン修正部
９    制御部
【図１】
2008135224.tif 000003
【図２】
2008135224.tif 000004
【図３】
2008135224.tif 000005
【図４】
2008135224.tif 000006
【図５】
2008135224.tif 000007
【図６】
2008135224.tif 000008
【図７】
2008135224.tif 000009
【図８】
2008135224.tif 000010